(57)【特許請求の範囲】
【請求項１】
ファッションデザイン画から、被服を平面投影状態で描き起こす意匠図作成方法であって、
３次元人体図を２次元的に描いた実際の人体寸法を反映している平面図であり肩幅の両端、バストラインの両端、ウエストラインの両端、ヒップラインの両端、前正中線、及び後正中線の特徴点と特徴線が描かれた意匠図原型の上に光透過性の紙を置き、下側の意匠図原型を見てこれらの特徴点と特徴線を参考にしながら縮尺定規を用いて意匠図を描く重ね描画であることを特徴とする意匠図作成方法。
【請求項２】
前記意匠図原型には、被服原型が重ねて描かれていることを特徴とする請求項１に記載の意匠図作成方法。
【請求項３】
ファッションデザイン画から、意匠図を作成するための意匠図作成システムであって、
３次元人体図を２次元的に描いた実際の人体寸法を反映している平面図であり肩幅の両端、バストラインの両端、ウエストラインの両端、ヒップラインの両端、前正中線、及び後正中線の特徴点と特徴線が描かれた意匠図原型をディスプレイ上に表示し、この意匠図原型に重ねて意匠図を描くことを特徴とする意匠図作成システム。
【請求項４】
前記ディスプレイ上に描かれた意匠図には被服原型が描かれており、この被服原型に基づいて型紙を作成することを特徴とする請求項３に記載の意匠図作成システム。
【請求項５】
前記描かれた意匠図と意匠図原型との位置的関係を持たせて記録することを特徴とする請求項３又４に記載の意匠図作成システム。
【発明の詳細な説明】
【０００１】
【発明の属する技術分野】
本発明は、デザイナーの描くファッションデザイン画から、布地裁断用の型紙を作成するための中間段階において作成する意匠図作成方法、意匠図作成用意匠図原型、意匠図作成システムに関する。
【０００２】
【従来の技術】
ファッションデザインにおいて、デザイナーがファッションデザイン画を描いてから、被服が作成されるまでの手順は、各種の手法があるが、一般的には以下のようになっている。
▲１▼デザインの想起
▲２▼ファッションデザイン画の作成
▲３▼意匠図の作成
▲４▼型紙（パターン）の作成
▲５▼布の裁断
▲６▼仮縫い
▲７▼本縫い
▲８▼仕上げ
このうち、被服作成工程の中で創作的な作業としては主として、▲２▼ファッションデザイン画、▲３▼意匠図、▲４▼型紙（パターン）の製作があり、一般的にこれらは各々が異なる担当者により製作されることが多い。▲２▼ファッションデザイン画はデザイナーがデザインを発想した後に描かれ、ポーズをとった人体に被服を着装させた状態を描いた画である（図４(a)参照）。描いて表現するべき重要なポイントは、人体（プロポーション、重心、ポーズなど）、顔（ヘア、メイクなど）、被服（造形のための設計図として構造・色・素材感の表現など）、着装状態（着装感、トータルコーディネート）、総合的なイメージやテイストなどであり、被服製作のための説明図としての正確さと、イラストレーションとしての美しさや訴求力の両方が同時に求められる。また、このファッションデザイン画は、実際寸法よりも格好良く描かないと美しく見えないと言う性質を持っている。
【０００３】
また、▲３▼意匠図（図４(ｂ)参照）は、平絵、絵型、ハンガーイラストなどとも呼ばれ、被服のみが描かれ、被服をスタンボディに掛けた状態で、曲面のある着装状態の被服を平面に投影した状態で描かれるが、正確さに比重が置かれている。この意匠図は、被服の構造を製図的に正確に描くことが要求される。さらに▲４▼型紙（図４(ｃ)参照）は、平面に描かれた被服原型を用いて、又はこの被服原型の上に、意匠図から形状を読み取って、縮尺定規又は実寸定規などを使用して平面作図により作成する、実寸サイズの布裁断用テンプレートである。
【０００４】
図５の（ａ）〜（ｄ）は、ファッションデザイン画Ｆ、意匠図Ｄ、型紙Ｐでの形状の現われ方を、模式的に示したものである。図５（ａ）はデザイナーの想起した立体像である３次元イメージＩ（左側）を、平面上に表現したファッションデザイン画Ｆ（右側）を示し、図５（ｂ）は平面状に表された３次元立体ファッションデザイン画Ｆ（左側）を２次元平面に投影した意匠図Ｄ（右側）を示している。このため、意匠図Ｄは、両端が曲面である立体をそのまま２次元として表している。図中の縦線は立体像（３次元イメージＩ）では、等間隔で描かれているが、２次元に投影すると両端は間隔が狭くなっている(図５(ｄ)の意匠図(Ｄ)を参照)。また、図５（ｃ）は、製作される被服Ｃを平面上に平らに伸ばして置いた状態（左側）を示し、またこの被服Ｃを製作するための型紙Ｐの見え方をも示している（右側）。一般的にこの型紙Ｐは、図５（ｂ）の意匠図Ｄをもとに製作されるものであり、図５（ｄ）のように意匠図Ｄと異なり、平面上に平らに伸ばして置いた被服Ｃと同様な見え方である。この図５の各図は、３次元で表される被服のデザインと、これを２次元平面に投影した状態を説明する目的のみで描かれたものであり、実際の被服では左右のみでなく上下にも曲面があり、また単純な筒型でなく複雑な凹凸や輪郭が存在するが、これらは省略してある。
【０００５】
【発明が解決しようとする課題】
このような、▲３▼意匠図Ｄは、描き手がファッションデザイン画Ｆを基に、ファッションデザイン画Ｆの各部の特徴を平面図として、自己のデッサン力という研ぎ澄まされた技術と感覚により経験的に描き起こすようになっている。このため、被服Ｃを平面状に平らに伸ばして置いた状態である型紙Ｐを作成する者は、この意匠図Ｄを見ながら、又は各部の比率を考慮して被服各部分の形状や寸法を実際の被服各部分の形状に合わせて調節しながら、すなわち被服各部分の形状、寸法を想像しながら、被服原型上に型紙を作成する必要がある。従って、同じ意匠図であっても、作成者によって製作される型紙Ｐは異なる形状寸法となってしまい、意匠図Ｄはファッションデザイン画Ｆから、型紙Ｐへの橋渡し役を充分に発揮できていない。現在のところ、意匠図の作成に当たっては、実物の被服におけるJIS規格のような統一された基準や規格は存在しない。
【０００６】
本発明は、このような状況を考慮し、ファッションデザイン画から意匠図を作成する場合に、ファッションデザイン画のデザインイメージを失うことなく、型紙作成用として、正確な形状、寸法を描くことのできる意匠図作成方法、意匠図作成用意匠図原型、意匠図作成システムを得ることが目的である。
【０００７】
【課題を解決するための手段】
本出願の請求項１に係る発明は、ファッションデザイン画から、被服を平面投影状態で描き起こす意匠図作成方法であって、３次元人体図を２次元的に描いた実際の人体寸法を反映している平面図であり肩幅の両端、バストラインの両端、ウエストラインの両端、ヒップラインの両端、前正中線、及び後正中線の特徴点と特徴線が描かれた意匠図原型の上に光透過性の紙を置き、下側の意匠図原型を見てこれらの特徴点と特徴線を参考にしながら縮尺定規を用いて意匠図を描く重ね描画であることを特徴とする。
【０００８】
本出願の請求項２に係る発明は、請求項１に記載の意匠図作成方法であって、前記意匠図原型には、被服原型が重ねて描かれていることを特徴とする。
【０００９】
本出願の請求項３に係る発明は、ファッションデザイン画から、意匠図を作成するための意匠図作成システムであって、３次元人体図を２次元的に描いた実際の人体寸法を反映している平面図であり肩幅の両端、バストラインの両端、ウエストラインの両端、ヒップラインの両端、前正中線、及び後正中線の特徴点と特徴線が描かれた意匠図原型をディスプレイ上に表示し、この意匠図原型に重ねて意匠図を描くことを特徴とする。
【００１０】
本出願の請求項４に係る発明は、請求項３に記載の意匠図作成システムであって、前記ディスプレイ上に描かれた意匠図には被服原型が描かれており、この被服原型に基づいて型紙を作成することを特徴とする。
【００１１】
本出願の請求項５に係る発明は、請求項３又は４に記載の意匠図作成システムであって、前記描かれた意匠図と意匠図原型との位置的関係を持たせて記録することを特徴とする。
【００１３】
請求項１に係る発明では、ファッションデザイン画から意匠図を描く場合に、意匠図原型を下図として、この意匠図原型に重ねて意匠図を描くので、この意匠図から型紙を作成する場合に、正面中心付近、背面中心付近など曲面の歪曲の少ない部分においては、意匠図に描かれた被服の寸法を計測し、この寸法を型紙に写し、正面両側部、背面両側部など曲面の歪曲のある部分においては通常のパターンメーキングにより適宜描き起すことにより、ファッションデザイン画のイメージに近い型紙を簡単に得ることができる。
【００１４】
意匠図の作成に当っては、描かれている意匠図原型を参考にしながら、被服の型紙の作成に用いるのと同様の縮尺定規を使用し、かつデッサン力も併用しながら意匠図を描く。
【００１６】
なお、意匠図は、紙面上に描かれている意匠図原型に、透明や半透明の光透過性紙を重ね、この透過性紙に意匠図を描く重ね描画方法により得られる。
【００１８】
請求項２に記載の発明では、意匠図原型に被服原型が重ねて描かれているので、意匠図の作成後に、被服原型に基づいて容易に型紙を作成可能である。
【００２１】
請求項３に記載の発明はコンピューターグラフィックにより意匠図を作成する場合に適しており、コンピューターアウトプットによるＣＲＴや液晶などのディスプレイ上に表示された意匠図原型に重ねて意匠図を描き、この意匠図を用いて型紙を作成するので、ディスプレー上での意匠図の作成が簡単であり、また意匠図が意匠図原型に基づいて正確に描かれる。また、この意匠図は電子データとして記録可能であるので、この意匠図に基づいて所定の計算プログラムを用い、被服型紙を容易に作成できる。
【００２２】
この場合のコンピュータによるプログラムとしては、人体プロポーションを平面的に描いた意匠図原型を電子データとして記録する原型記録手段と、この記録手段から記録内容を読み出し人体プロポーションを平面的に描いた意匠図原型をディスプレイ上に表示する手段と、マウスやキーボードなどの入力手段からの入力によってディスプレイ上に描かれた意匠図を記録する意匠図記録手段と、を備えればよい。この意匠図記録手段としては、請求項５のように意匠図原型との位置的関連をも記録する手段を備えてもよい。また、被服原型を記録する手段や、この被服原型を意匠図と位置的関連を持たせながら記録する手段を備えていても良い。なお、ディスプレイ上に描かれた意匠図の記録は、キーボードやマウスなどの入力手段からの入力をディスプレイを介することなく、キーボードやマウスから演算装置を介して記録するようにしても良い。
【００２４】
【発明の実施の形態】
図１には、この実施形態による、意匠図原型正面図１０及び背面図１２(黒塗り部分）に重ねて被服原型１４が適宜尺度（ここでは１／５の縮尺）で描かれた状態が示されている。
【００２５】
この意匠図原型正面図１０及び背面図１２は、図２に示されるリアルプロポーション１６を利用して描くことができる。このリアルプロポーション１６は、現実の立体的な人間の３次元体型を、立体の陰影を取り去って線画で、すなわち３次元的な人間の体型を２次元平面に投影した状態で描かれている。この実施形態においては、日本人の平均的な人体測定データ（財団法人  人間生活工学研究センター編「日本人の人体計測データ」１９９７）のうち、特定年齢層及び性別（この実施形態では２０〜２４歳の女性）の人体各部の測定平均値を用いており、３次元的な平均的人体立体像を２次元平面に投影したと同様な平面図形を作成してある。なお、図２のリアルプロポーション１６は、正面図のみが描かれているが、背面図についても同様手法により製作される。
【００２６】
しかし、このような既成の統計的データを用いる他にも、特定の団体構成員へ適用する場合には、具体的に体型を測定して平均的立体像を作成したり、特定の個人へ適用する場合には、具体的にその個人の測定値を用いて立体像を作成して、これを正面及び背面の２次元へ投影したり、又はこれらの測定値から直接に投影平面図を得ることができる。また、さらには、実際の人体を３次元測定手法により測定し、そのデータを基に演算により２次元平面データを得ることもできる。さらには、人体の体型測定時に、正面及び背面の２次元的な投影図を直接得るなどの他の手法を利用できるが、これらのリアルプロポーション１６は、いずれも統計的や実際測定により直接に又は、演算により得られた特定個人、団体、不特定多数の人体プロポーションを原則的にかつ実質的に２次元的に投影したものであればよい。従って、実際に製図法的に投影作業をすることを必ずしも要しない。
【００２７】
このリアルプロポーション１６の上の必要な輪郭や特徴点を取り出し、必要な構造線を描き加えたものが、図１の意匠図原型正面図１０及び背面図１２である。このベーシックドレス（原型衣）の意匠図原型を様々に展開することにより、異なる種類の被服の意匠図を描く。この場合、意匠図原型として、リアルプロポーション１６を残したまま、これに衣服をまとった状態の図形を用いてもよいが、被服の型紙作成上は人体形状（頭や、手足など）は、省略することが作業効率上好ましい。
【００２８】
この意匠図原型正面図１０及び背面図１２は、図１に記載されたように、人体のリアルプロポーション１６の投影図であるが、輪郭線などの各線や点を総て描いてある必要は無く、特徴点や複数の特徴点のいくつかを結ぶ線分(特徴線)のみが描かれているものであっても良い。例えば、図２の意匠図原型正面図１０、１２において、最も必要な特徴点は、肩幅の両端Ａ、Ｂ、バストラインの両端Ｃ、Ｄ、ウエストラインの両端Ｅ、Ｆ、ヒップラインの両端Ｇ、Ｈ、前正中線Ｉ、及び後正中線Ｊである（なお、図２において、前正中線Ｉと、後正中線Ｊとは重なって見えるが、実際には前正中線Ｉが体の前面の左右中央に、後正中線Ｊが体の後面の左右中央に、それぞれ上下方向に描かれている）。
【００２９】
図１には、意匠図原型正面図１０、背面図１２の他に、被服原型１４が描かれている。この被服原型１４は、意匠図原型１０、１２の作成に用いたリアルプロポーション１６の寸法を基に、特定の年齢、性別、体型等の種類ごとにあらかじめ作成してある。被服原型１４の作成は、実際には「文化式」や「ドレメ式」の流派ごとのマニュアルが確立されているので、これに従えば良い。
【００３０】
なお、図１には意匠図原型１０、１２が、被服原型１４のうちの被服正面図１４Ａと、背面１４Ｂの間隔で描かれている。
【００３１】
次に図３は、図１の意匠図原型１０、１２を利用して描かれた意匠図１８を示している。この意匠図１８は、図１の意匠図原型１０、１２の上に透明や半透明の光透過性の紙を置き、下側の意匠図原型１０、１２を見て参考にしながら描く。すなわち、別に描かれているファッションデザイン画(図４（ａ）参照)を参照しながら、図１の意匠図原型１０、１２へファッションデザイン画で描かれたデザインによる被服を着装した状態で描き起こす。
【００３２】
ここで、パターン(型紙)が与えられているときは、意匠図原型１０、１２を下敷きにして、正面付近は被服の型紙の作成に用いるのと同様の１／５などの縮尺定規を使用し、パターンのサイズをそのまま用いて描き、側面に近づくにつれて曲面の歪曲が生ずることを考慮し作画する。同様にバストラインより上の肩付近についても僅かな歪曲が生ずることを考慮して作画する。パターンから読み取りきれない立体として微妙な形状についてはデッサン力を動員して補なう。立体または立体の写真やラフスケッチが与えられているときは、意匠図原型を下敷きにしてシルエットなど大きく捉えるべきところはフリーハンドでスケッチし、細部（前立ての幅、襟幅、ボタンの間隔…など）については、平面作図の知識と技術を動員し被服の型紙の作成に用いるのと同様の１／５などの縮尺定規を用いて検証しながら仕上げる。仕上げの方法、例えば描線の太さの使い分けの方法などは他の方法で描く意匠図と同様である。
【００３３】
図１から図３の意匠図までの作成、さらにはその後の型紙の作成作業は、これらの一部又は総てを、コンピューター上を利用して行うことができる。一例として、図１の意匠図原型正面図１０、背面図１２をコンピューターディスプレー上に描き、これを基に意匠図１８をディスプレー上に重ねて描くなどの手法が採用できる。また、図１、２のその他の画像を、意匠図原型正面図１０、背面図１２に重ねて描いておき、作成時の補助としてもよい。意匠図が作成されれば、その後の型紙は既定の手法により、コンピューターを利用して自動的に形状や寸法を演算できる。
【００３４】
【発明の効果】
本発明は上記の構成としたので、ファッションデザイン画から意匠図を作成する場合に、型紙作成用として、正確な形状、寸法を描くことのできる優れた効果を有する。
【図面の簡単な説明】
【図１】  本発明の第１実施形態に係る意匠図原型を示す平面図である。
【図２】  図１の意匠図原型を作成するためのリアルプロポーションを示す平面図である。
【図３】  図１の意匠図原型を基に被服の型紙の作成に用いるのと同様の縮尺定規を使用し、かつデッサン力も併用しながら作成された意匠図を示す平面図である。
【図４】  従来のファッションデザイン画から型紙を作成する手順を示す説明図である。
【図５】  ファッションデザイン画、意匠図、型紙の関係を示す説明図である。
【符号の説明】
１０    意匠図原型正面図
１２    意匠図原型背面図
１４    被服原型（主として図１に太線で示す形を言う。但し、図示されたその他の補助線も含む場合がある。）
１６    リアルプロポーション（人体プロポーション）
１８    意匠図
【図１】
0003778820.tif 000002
【図２】
0003778820.tif 000003
【図３】
0003778820.tif 000004
【図４】
0003778820.tif 000005
【図５】
0003778820.tif 000006